(57)【要約】      （修正有）【課題】容易にベンチュリ管を導入することができ、かつ、ベンチュリ無タイプのリテーナと同様の流通空気に対する抵抗抑制を行え、機器構成のコンパクト化、省エネ化を達成できる集塵機用ベンチュリ管を提供する。【解決手段】濾過処理後の空気を流通させるとともに逆洗用空気の流通を許容する本体筒部８Ａと、濾過処理後の空気と逆洗用空気との流通経路において装着可能な取付脚８Ｂとを備えて構成し、取付脚８Ｂにおける本体筒部８Ａの円周方向に沿った横幅ｔを細幅のものに構成し、本体筒部８Ａの外周面側で取付脚８Ｂ間においても空気流通空間を確保すべく構成してある。【選択図】図２
0003178547.tif 000002
【実用新案登録請求の範囲】
【請求項１】
濾過処理後の空気を流通させるとともに逆洗用空気の流通を許容する本体筒部と、前記濾過処理後の空気と前記逆洗用空気との流通経路において設置用部材に装着可能な取付脚とを備えて構成し、前記取付脚における前記本体筒部の円周方向に沿った横幅を細幅のものに構成し、前記本体筒部の外周面側で前記取付脚間においても空気流通空間を確保すべく構成してある集塵機用ベンチュリ管。
【請求項２】
前記取付脚の装着部を、濾布を内側から保持するリテーナに取付固定可能に形成してある請求項１記載の集塵機用ベンチュリ管。
【請求項３】
前記取付脚の装着部を、濾布を内側から保持するリテーナの横桟又は縦桟に嵌め込み固定可能に形成してある請求項２記載の集塵機用ベンチュリ管。
【請求項４】
前記取付脚の装着部を、濾布を内側から保持するリテーナの上端支持基部の周縁部に嵌め込み固定可能に形成してある請求項２記載の集塵機用ベンチュリ管。
【請求項５】
前記取付脚を、棒状部材を曲げ形成して構成してある請求項１〜４のうちのいずれか一項に記載の集塵機用ベンチュリ管。
【請求項６】
前記取付脚が、棒状部又は筒状部と平板部とを有し、基端側平板部を本体筒部から延出し棒状部又は筒状部を介して先端側平板部を取付対象側の設置用部材に取付けて構成してある請求項１〜４のうちのいずれか一項に記載の集塵機用ベンチュリ管。
【請求項７】
前記取付脚が、平板部材を前記本体筒部の半径方向に沿った状態でその本体筒部に取付固定して構成したものである請求項１〜４のうちのいずれか一項に記載の集塵機用ベンチュリ管。
【請求項８】
前記本体筒部が、一端に向けてラッパ状に広がる拡径部と、他端に向けて徐々に窄まる縮径部と、前記拡径部と前記縮径部との間に位置し一定の内径を有する同径部とで構成してある請求項１〜７のうちのいずれか一項に記載の集塵機用ベンチュリ管。
【請求項９】
前記本体筒部が、一端に向けてラッパ状に広がる拡径部と、他端に向けて一定の内径を有する同径部とで構成してある請求項１〜７のうちのいずれか一項に記載の集塵機用ベンチュリ管。
【請求項１０】
前記本体筒部が、両端に、夫々、その両端に向けてラッパ状に広がる両拡径部と、前記両関係部の間に位置し一定の内径を有する同径部とで構成してある請求項１〜７のうちのいずれか一項に記載の集塵機用ベンチュリ管。
【請求項１１】
前記本体筒部の内部に、導入された空気を螺旋状に誘導する機構を設けてある請求項１〜１０のうちのいずれか一項に記載の集塵機用ベンチュリ管。
【請求項１２】
前記導入された空気を螺旋状に誘導する機構が、前記本体筒部内に形成された羽根板である請求項１１記載の集塵機用ベンチュリ管。
【考案の詳細な説明】
【技術分野】
【０００１】
本考案は、塵埃等を含んだ処理前空気を処理して塵埃を除去して清浄化し空気中に戻す集塵機に使用されるものであって、
具体的には、導入する処理前空気室と濾過処理を受けた処理後の空気を導入する処理後空気室とを隔壁によって区画するとともに隔壁に設けた連通孔を通して空気の流通を可能に構成し、処理前空気に対して濾過作用を施す濾過手段と、処理前空気を導入するとともに処理後の空気を前記処理後空気室より排出する空気流通手段と、濾過手段に向けて逆洗用空気を放出する逆洗手段とを設けてある集塵機において、前記濾過手段を通過した処理後の空気を誘導するとともに逆洗用空気を前記濾過手段に誘導すべく、前記隔壁に形成した連通孔位置に対応して設置される集塵機用ベンチュリ管に関する。
【背景技術】
【０００２】
この種の集塵機において、濾過手段を濾布とその濾布を内側から保持するリテーナとで構成し、このリテーナに対してベンチュリ管を備えたものがある。このものは、支持基台６Ａ（支持金具１）と隔壁２（隔壁板１５）との間に所定の（間隙１９）を形成し、この（間隙１９）とベンチュリ管８の内部の両方を通じて濾布５（濾布１８）内と濾過後ガス通路を連通させるようにした。従って、空気流の通過断面積をベンチュリ管のみの場合よりも拡大し、吸引ファンの負荷を軽減するものがあった（特許文献１）。
【先行技術文献】
【特許文献】
【０００３】
【特許文献１】実用新案登録第３０９１９５２号公報（図１）
【考案の概要】
【考案が解決しようとする課題】
【０００４】
しかし、このような構成のものであっても、ベンチュリ管の外側空間を空気の流通空間とするために、支持基台と隔壁との間に間隙を形成すべく、ベンチュリ管を支持基台より持ち上げるために、長尺のアジャストボルトを使用するといった設置方法を採っており、設置形態を改善する余地があった。
【０００５】
一方、ベンチュリ管を装備しないリテーナに対してベンチュリ管を導入するには、ベンチュリ無しのリテーナを、ベンチュリ管を一体的に取り付けたリテーナにソックリ入れ替える以外に手段はなかった。
【０００６】
本考案の目的は、ベンチュリ無タイプのリテーナと同様の流通空気に対する抵抗を抑制し、処理後空気の空気流通手段の排出容量負担、及び逆洗手段の吹出容量負担の軽減化を行い、かつ、ベンチュリ管を有していないリテーナであっても容易にベンチュリ管を導入することができ、機器構成のコンパクト化、省エネ化を達成できる集塵機用ベンチュリ管を提供する点にある。
【課題を解決するための手段】
【０００７】
〔構成〕
請求項１に係る考案の特徴構成は、濾過処理後の空気を流通させるとともに逆洗用空気の流通を許容する本体筒部と、前記濾過処理後の空気と前記逆洗用空気との流通経路において設置用部材に装着可能な取付脚とを備えて構成し、前記取付脚における前記本体筒部の円周方向に沿った横幅を細幅のものに構成し、前記本体筒部の外周面側で前記取付脚間においても空気流通空間を確保すべく構成してある点にあり、その作用効果は次の通りである。
【０００８】
〔作用〕
ベンチュリ管自体に取付脚を有しているので、流通経路における設置用部材にその取付脚を取り付けることによって、ベンチュリ管を持っていない集塵機においてもベンチュリ管を容易に導入できる。
そして、導入した状態では、取付脚における横幅を細幅のものに構成してあるので、本体筒部の外周面側で前記取付脚間においても空気流通空間を確保でき、本体筒部の内部だけを空気の流通空間に形成する場合に比べて大量の空気を流通させることができる。
【０００９】
〔効果〕
本体筒部の外周面側で前記取付脚間においても空気流通空間を確保できるので、大量の空気の流通を可能にし、ベンチュリ無タイプと同様に、処理後空気の空気流通手段の排出容量負担、及び逆洗手段の吹出容量負担の軽減化を行い、機器構成のコンパクト化、省エネ化を達成できるだけの構成を維持しながら、ベンチュリ管自体に取付脚を装備する構成によって、隔壁だけに限定されることなく、流通経路における部材を遍く設置用部材として活用でき、設置形態の汎用性を確保することができた。。
しかも、ベンチュリ管自体が取付脚を装備した独立した部品として使用されることを目的とすることによって、前記したベンチュリタイプのように、当初よりベンチュリ管を装着したリテーナにソックリ入れ替えることなく、ベンチュリ無タイプにおいても簡易な方法でベンチュリ管の増設が可能になる。
【００１０】
〔構成〕
請求項２に係る考案の特徴構成は、前記取付脚の装着部を、濾布を内側から保持するリテーナに取付固定可能に形成してある点にあり、その作用効果は次の通りである。
【００１１】
〔作用〕
取付脚の装着部を、濾布を内側から保持するリテーナに取付固定すると、ベンチュリ管がリテーナに取付られ、ベンチュリ無タイプのリテーナをベンチュリタイプのリテーナに変更できる。
しかも、リテーナにおいては、ベンチュリ管を取り付けるにあたって、取付脚の装着部を連結する設置用部材として増設することとなっても、僅かなブラケット等を増設するだけでよい。
【００１２】
〔効果〕
したがって、ベンチュリ管の機能によって、逆洗用空気を濾布の下端近くまで送り込むことができて濾過能力を高めることができるとともに、ベンチュリ管を備えないリテーナと同様の空気の流通しやすさを確保でき、ベンチュリ無タイプと同様に、処理後空気の空気流通手段の排出容量負担、及び逆洗手段の吹出容量負担の軽減化を行い、機器構成のコンパクト化、省エネ化を達成できる。
【００１３】
〔構成〕
請求項３に係る考案の特徴構成は、前記取付脚の装着部を、濾布を内側から保持するリテーナの横桟又は縦桟に嵌め込み固定可能に形成してある点にあり、その作用効果は次の通りである。
【００１４】
〔作用〕
取付脚の装着部を、濾布を内側から保持するリテーナの横桟又は縦桟に嵌め込み固定すると、ベンチュリ管がリテーナに取付けられ、ベンチュリ無タイプのリテーナをベンチュリタイプのリテーナに変更できる。
しかも、リテーナにおいては、ベンチュリ管を取り付けるにあたって、取付脚の装着部を連結する設置用部材として特別のものを増設する必要はなく、本来構成部材である横桟又は縦桟を利用するだけでよい。
【００１５】
〔効果〕
したがって、ベンチュリ管の機能によって、逆洗用空気を濾布の下端近くまで送り込むことができて濾過能力を高めることができるとともに、ベンチュリ管を備えないリテーナと同様の空気の流通しやすさを確保でき、ベンチュリ無タイプと同様に、処理後空気の空気流通手段の排出容量負担、及び逆洗手段の吹出容量負担の軽減化を行い、機器構成のコンパクト化、省エネ化を達成できる。
【００１６】
〔構成〕
請求項４に係る考案の特徴構成は、前記取付脚の装着部を、濾布を内側から保持するリテーナの上端支持基部の周縁部に嵌め込み固定可能に形成してある点にあり、その作用効果は次の通りである。
【００１７】
〔作用〕
取付脚の装着部を、濾布を内側から保持するリテーナの上端支持基部に嵌め込み固定すると、ベンチュリ管がリテーナに取付られ、ベンチュリ無タイプのリテーナをベンチュリタイプのリテーナに変更できる。
しかも、リテーナにおいては、ベンチュリ管を取り付けるにあたって、取付脚の装着部を連結する設置用部材として特別のものを増設する必要はなく、本来構成部材である上端支持基部を利用するだけでよい。
【００１８】
〔効果〕
したがって、ベンチュリ管の機能によって、逆洗用空気を濾布の下端近くまで送り込むことができて濾過能力を高めることができるとともに、ベンチュリ管を備えないリテーナと同様の空気の流通しやすさを確保でき、ベンチュリ無タイプと同様に、処理後空気の空気流通手段の排出容量負担、及び逆洗手段の吹出容量負担の軽減化を行い、機器構成のコンパクト化、省エネ化を達成できる。
【００１９】
〔構成〕
請求項５に係る考案の特徴構成は、前記取付脚を、棒状部材を曲げ形成して構成してある点にあり、その作用効果は次の通りである。
【００２０】
〔作用効果〕
取付脚として棒状材を曲げ形成しただけの簡易な構成のものででき、かつ、棒状材を使用しているので、空気の流通経路に占める面積を小さくでき、空気の流通を阻害しにくい。
【００２１】
〔構成〕
請求項６に係る考案の特徴構成は、前記取付脚が、棒状部又は筒状部と平板部とを有し、基端側平板部を本体筒部から延出し棒状部又は筒状部を介して先端側平板部を設置用部材に取付けて構成してある点にあり、その作用効果は次の通りである。
【００２２】
〔作用効果〕
筒状本体部と設置用部材との連結部位には平板部を利用し、平板部を繋ぐ部分に棒状部又は筒状部を配置して、取付脚の強度向上を図っている。
【００２３】
〔構成〕
請求項７に係る考案の特徴構成は、前記取付脚が、平板部材を前記本体筒部の半径方向に沿った状態でその本体筒部に取付固定して構成したものである点にあり、その作用効果は次の通りである。
【００２４】
〔作用効果〕
取付脚として平板部材を利用して簡易な構成のものにでき、かつ、平板部材を前記本体筒部の半径方向に沿った状態でその本体筒部に取付固定して、空気の流通経路に占める部分を平板部材の細い横幅部分にできて抵抗面積を小さくでき、空気の流通を阻害しにくい。
【００２５】
〔構成〕
請求項８に係る考案の特徴構成は、前記本体筒部が、一端に向けてラッパ状に広がる拡径部と、他端に向けて徐々に窄まる縮径部と、前記拡径部と前記縮径部との間に位置し一定の内径を有する同径部とで構成してある点にあり、その作用効果は次の通りである。
【００２６】
〔作用効果〕
ベンチュリ管の本体筒部における他端の構造を外向きに広がるラッパ状の拡径部構造ではなく、他端に向けて徐々に窄まる縮径部とした。これによって、外広がりの拡径部で大量の逆洗用空気を導入するとともに、その空気導入量を維持しながら、縮径部に至った逆洗用空気は、絞られて圧力を減少させながら速度を増して、放出される。
したがって、濾布下端部で洗浄能力をより向上させるとともに、僅かに、他端に縮径部を設けるだけの改造で済む。
【００２７】
特に、ベンチュリ管における本体筒部の下端部を下窄まりの縮径部に形成してあるので、次のようなことが言える。つまり、下窄まりの縮径部に形成すると、そこでの逆洗時の空気流速が増大することとなる。そうすると、縮径部のみから逆洗用空気が噴出する場合には、本体筒部の外側において負圧が発生することがある。
【００２８】
しかし、本願考案においては、縮径部のみから逆洗用空気を噴出させているのではなく、両取付脚の間に形成した空間を介して本体筒部の外周面側においても逆洗用空気の流通が可能である。このことによって、本体筒部の外周面側において負圧が発生することを減少させることができ、負圧の影響を回避する遮断手段を濾布の上端部に設ける必要もなく、十分な逆洗用空気速度を確保することが容易にできる。
【００２９】
したがって、濾布の下端部まで到達するに十分な速度を確保して、逆洗手段を形成するポンプ容量等の小容量化を図ることができ、省エネルギー化に寄与できるのである。
【００３０】
〔構成〕
請求項９に係る考案の特徴構成は、前記本体筒部が、一端に向けてラッパ状に広がる拡径部と、他端に向けて一定の内径を有する同径部とで構成してある点にあり、その作用効果は次の通りである。
【００３１】
〔作用効果〕
ベンチュリ管の本体筒部における他端の構造を一定の径を維持する同径部とした。これによって、外広がりの入口側の拡径部で大量の逆洗用空気を導入するとともに、その空気導入量を維持しながら、同径部に至った逆洗用空気は、僅かに絞られて圧力を少し減少させた状態を維持しながら僅かな速度増を維持して、放出される。
【００３２】
〔構成〕
請求項１０に係る考案の特徴構成は、前記本体筒部が、両端に、夫々、その両端に向けてラッパ状に広がる両拡径部と、前記両関係部の間に位置し一定の内径を有する同径部とで構成してある点にあり、その作用効果は次の通りである。
【００３３】
〔作用効果〕
ベンチュリ管の本体筒部における他端の構造を外向きに広がるラッパ状の拡径部とした。これによって、入口側の外広がりの拡径部で大量の逆洗用空気を導入するとともに、その空気導入量を維持しながら、同径部に至った逆洗用空気は、僅かに絞られて圧力を減少させた状態を維持しながら僅かな速度増を維持して拡径部に至る。拡径部では、また、開放作用を受けて圧力を増大させながら速度を低減して、放出される。
したがって、濾布下端部で洗浄能力をより向上させるとともに速度増を大きくせずに濾布への影響を抑制する効果を得える。そしてその為に、僅かに、他端に拡径部を設けるだけの改造で済む。
【００３４】
〔構成〕
請求項１１に係る考案の特徴構成は、前記本体筒部の内部に、導入された空気を螺旋状に誘導する機構を設けてある点にあり、その作用効果は次の通りである。
【００３５】
〔作用効果〕
本体筒部の内部に、導入された逆洗用空気は、螺旋状機構によって螺旋状に排出され、より洗浄効果を高めることができる。
【００３６】
〔構成〕
請求項１２に係る考案の特徴構成は、前記導入された空気を螺旋状に誘導する機構が、前記本体筒部内に形成された羽根板である点にあり、その作用効果は次の通りである。
【００３７】
〔作用効果〕
螺旋状に誘導する機構が羽根板で形成されるので、簡単な構造で洗浄用空気による洗浄効果を高めるものを提供できた。
【図面の簡単な説明】
【００３８】
【図１】図１は、集塵機を示す構成図である。
【図２】図２（ａ）は、ベンチュリ管を上端支持基部に取付た状態を示す平面図、（ｂ）は、縦断正面図、（ｃ）は取付脚を上端支持基部に取り付けた状態を示す拡大縦断正面図である。
【図３】図３（ａ）は、ベンチュリ管を横桟に取付た状態を示す平面図、（ｂ）は縦断正面図、（ｃ）は取付脚を横桟に取り付けた状態を示す拡大縦断正面図である。
【図４】図４（ａ）は、逆洗状態を示す縦断正面図、（ｂ）は、濾過状態を示す縦断側面図である。
【図５】図５（ａ）は、ベンチュリ管を示す縦断正面図、（ｂ）は平面図である。
【図６】図６（ａ）は、別実施構造のベンチュリ管を示す縦断正面図、（ｂ）は平面図である。
【図７】図７（ａ）は、図６で示した別実施構造のベンチュリ管を上端支持基部に取り付けた状態を示す平面図であり、（ｂ）は、縦断正面図である。
【図８】図８は、取付脚を平板状部材で構成しているベンチュリ管を示す縦断正面図である。
【図９】図９は、別実施構造のリテーナに図３で示すベンチュリ管を取り付けた状態を示す縦断正面図である。
【図１０】図１０（ａ）ベンチュリ管の内部に羽根板を形成しているものを示す縦断正面図であり、（ｂ）は、平面図である。
【考案を実施するための形態】
【００３９】
〔第１実施形態〕
バグ式の集塵機について説明する。図１に示すように、集塵機Ａは、角筒部１Ａとその下方の漏斗部１Ｂとからなる本体胴部１と、本体胴部１の内部空間を上下に区画する隔壁２によって、下方に塵埃等を含んだ処理前空気ａを導入する処理前空気室３とその上方に濾過処理を受けた処理後の空気ｂを導入する処理後空気室４とに区画し、前記処理前空気室３と処理後空気室４とに、濾過手段Ｂ、空気流通手段Ｃ、逆洗手段Ｄを設けてある。
【００４０】
濾過手段Ｂについて説明する。図１〜図４に示すように、処理前空気室３と処理後空気室４を連通する複数個の連通孔２Ａを隔壁２に形成する。隔壁２の内周縁部から下方に向けて濾布５を吊り下げ、円筒状を呈する濾布５を内側から保形支持するリテーナ６を吊り下げしてある。
【００４１】
リテーナ６は、図４に示すように、桟本体部６Ｂと上端支持基部６Ａとで構成されており、桟本体部６Ｂは、複数本の縦桟６ｅを円周方向の複数箇所に配置するとともに、それら縦桟６ｅを連結する環状の横桟６ｆを濾布５の縦軸芯方向の複数箇所に配置して、構成してある。
【００４２】
一方、連通孔２Ａには、図２に示すように、リテーナ６の上端支持基部６Ａが装着してある。上端支持基部６Ａは、大小径の筒状胴部６ａ、６ｂが上下二段に形成された略皿状を呈するものであり、上側の大径筒状胴部６ａの上端には、上面視おむすび型を呈するフランジ部６ｃが形成されている。
【００４３】
上端支持基部６Ａにおける小径筒状胴部６ｂの下端には、底面が形成されてはいるが、底面は小径筒状胴部６ｂから僅かに内側に折り曲げ形成された鍔状の部分だけで、中心部には大きな抜き孔６ｄが形成してある。
【００４４】
おむすび状を呈するフランジ部６ｃにおける頂点に対応する３か所には、下向きに折り返された支持部６ｇが設けてあり、支持部６ｇが隔壁２の上面に載置されて、上端支持基部６Ａは連通孔２Ａに嵌め込み装着されている。
リテーナ６の縦桟６ｅの上端部分は、上端支持基部６Ａの小径筒状胴部６ｂの外周面に嵌合固定されており、リテーナ６が上端支持基部６Ａを介して連通孔２Ａから下向きに支持される構成を採っている。
【００４５】
次に、ベンチュリ管８について説明する。ベンチュリ管８は、各濾布５毎に装備される。装備される位置は、図２（ａ）、図３（ａ）に示すように、連通孔２Ａの形成位置である。
ベンチュリ管８は、図２（ａ）に示すように、軸心方向に長い筒状の部材であり、その筒状を呈する本体筒部８Ａの上端部に外広がりのラッパ状の拡径部８ａを形成し、拡径部８ａの先端に開口端８ｄを形成している。拡径部８ａの下方には内外径が同一径を維持している同径部８ｂが形成してある。更に、その同径部８ｂの下端部に下窄まりの縮径部８ｃが形成してあり、その縮径部８ｃの下端位置に下向き開口端８ｅが形成されている。本体筒部８Ａの外周面における円周方向の３か所には、細幅の取付脚８Ｂを設けてある。
【００４６】
取付脚８Ｂは、本体筒部８Ａの下半部位置から一旦下方に延出された状態から下斜め横外方に向けて広がり、その先端位置において設置用部材に係合可能な円弧状を呈する係合凸部８ｆを形成してある。この係合凸部８ｆを取付脚８Ｂの装着部と称する。
係合凸部８ｆの一部は更に下方内側に向けて曲げ形成され、下窄まり部分８ｇを形成している。下窄まり部分８ｇの内側には、３つの取付脚８Ｂを外向きに広げる固定リング８ｈが装着してある。取付脚８Ｂを構成する材料は、細径の丸棒か又は細い幅の桟部材である。したがって、取付脚８Ｂにおける本体筒部８Ａの円周方向に沿った横幅ｔを細幅のものにできる。
【００４７】
このような構成になるベンチュリ管８を取り付ける設置用部材としては、前記上端支持基部６Ａの大径筒状胴部６ａが利用される。つまり、大径筒状胴部６ａと、その大径筒状胴部６ａと小径筒状胴部６ｂとの間に形成された段部とを利用し、ベンチュリ管８における円弧状の係合凸部８ｆをその段部の上面に載置した状態で係合凸部８ｆの円弧部分を大径筒状胴部６ａの内周面に嵌合固定して、ベンチュリ管８の取付状態を安定させている。
係合凸部８ｆの下方に伸びている下窄まり部分８ｇには、前記したように固定リング８ｈが装着され、上端支持基部６Ａの抜き孔６ｄ内に入り込んでいる。
【００４８】
以上のような構成になるベンチュリ管８は、リテーナ６に取付られた状態で、下端開口部の下窄まりの開口端８ｅを連通孔２Ａより上方に位置させた状態で処理後空気室４内において立ち上げ装着され、ラッパ状開口端８ｄを逆洗用のヘッダーパイプ７における吹き出しノズル７ａの下方に位置させるように配置してある。
【００４９】
（空気の流通）
図４（ｂ）に示すように、濾過手段Ｂを通過した処理後の空気を、ベンチュリ管８を介して処理後空気室４に誘導するとともに、図４（ａ）に示すように、逆洗用空気ｃを、ベンチュリ管８を介して濾過手段Ｂに誘導すべく構成してある。
そして、図２（ａ）に示すように、取付脚８Ｂにおける本体筒部８Ａの円周方向に沿った横幅ｔを細幅のものに形成したので、本体筒部８Ａの外周面側で取付脚８Ｂ間においても空気流通空間を確保でき、その部分が塞がっている従来構成の場合に比べて、ベンチュリ管内における吸引時の流速を1／５位（例えば、リテーナ１５０径×６０００長さタイプの場合）にまで落とすことができ、空気流通手段Ｃとしてのブロワ負荷を大幅に低減できる。
【００５０】
（逆洗）
つまり、図４（ａ）で示すように、逆洗時においては、圧縮空気が１次空気としてヘッダーパイプ７における吹き出しノズル７ａから濾布５に向けて噴出される。１次空気とその１次空気に誘引される２次空気がベンチュリ管８の内部通路を通過して濾布５内に移動するとともに、残りの２次空気は、ベンチュリ管８の外周面と上端支持基部６Ａにおける大小二つの筒状胴部６ａ、６ｂの内面に沿って濾布５内に至る。なお、図４では、図２と異なり、取付脚８Ｂを円周方向４箇所に配置してある。
以上のような構成に加えて、取付脚８Ｂの構成が、細径の丸棒や細幅の桟でかつ円周方向の４か所に均等配置されているだけであるので、ベンチュリ管８の外方と取付脚８Ｂ同士の間にも大きな空間が形成されている。
【００５１】
このような構成によって、ベンチュリ管８の外方と上端支持基部６Ａとの間にも、通風空間が形成されることとなり、ベンチュリ管８だけを通風路とする場合に比べて、大きな通風空間を確保できることとなった。これによって、空気流通手段Ｃの容量を小さくできることになる。それでいて、逆洗時には、ベンチュリ管８の存在によって圧縮空気を濾布５の下方深く送り込むことができるとともに、逆洗用圧縮空気の噴出速度を確保しかつベンチュリ管８を通過する圧縮空気の吸引効果によってベンチュリ管外方の空気を巻き込んで、濾布５に作用する空気量を増大させることができるのである。
【００５２】
特に、上端支持基部６Ａを使用してリテーナ６を支持する構成を採っているが、上端支持基部６Ａの大小筒状胴部６ａ、６ｂの濾布５内への突出長さを僅かなものに抑えているので、逆洗用の圧縮空気を濾布５の上端部分にも作用させることができ、濾布５の逆洗効果を高めることができる。
【００５３】
（濾過）
一方、図１、及び、図４（ｂ）に示すように、処理前空気ａに濾過作用を加える場合には、空気流通手段Ｃを働かせて、漏斗部１Ｂの入口ノズル部１ａより処理前空気室３に導入するとともに、濾布５内を上昇させて、ベンチュリ管８の内部通路、および、ベンチュリ管８の外周面と上端支持基部６Ａとの間の空間を通して処理後空気ｂを処理後空気室４に導入し、角筒部１Ａに形成した出口ノズル部１ｂから外部に排出するように構成してある。
【００５４】
この場合にも、前記したように、濾布５の上端部分からも処理前空気ａを濾布５内に導入することができ、濾布５の有効濾過面積を広くとることができる。
また、ベンチュリ管８の内部通路だけでなく、ベンチュリ管８の外方と上端支持基部６Ａとの間にも、通風空間が形成されることとなり、ベンチュリ管８だけを通風路とする場合に比べて、大きな通風空間を確保できることとなった。これによって、空気流通手段Ｃの容量を大きなものとすることがなくなった。
また、ベンチュリ管８として大径のものを採用する必要がなく、ベンチュリ管８として小径のものであっても、逆洗用空気ｃを十分に濾布５内に取り込むことができる。このことは、吹き出しノズル７ａから濾布５に向けて噴出される逆洗用空気ｃの量を極力すくなくでき、逆洗手段Ｄの排出容量を小さくできる。
【００５５】
〔第２実施形態〕
この第２実施形態では、リテーナ６の支持構造、及び、ベンチュリ管８の取付脚８Ｂの構成が異なっている構造について説明する。
図３に示すように、リテーナ６は、複数本の縦桟６ｅを円周方向の複数箇所に配置するとともに、それら縦桟６ｅを連結する環状横桟６ｆを濾布５の縦軸芯方向の複数箇所に配置して、構成してある。この基本的構成は第１実施形態のものと同様である。異なる点は次の構成にある。つまり、縦桟６ｅの上端部分６ｍは、外向き円弧状に曲げ形成され、外側端を連通孔２Ａの縁部に載置されて、リテーナ６を隔壁２に支持させてある。
【００５６】
次に、ベンチュリ管８について説明する。
ベンチュリ管８は、図３（ｂ）及び図５に示すように、軸心方向に長い筒状の部材であり、その筒状を呈する本体筒部８Ａの上端部に外広がりのラッパ状の拡径部８ａを形成し、拡径部８ａの先端に開口端８ｄを形成している。拡径部８ａの下方には内外径が同一径を維持している同径部８ｂが形成してある。更に、その同径部８ｂの下端部に下窄まりの縮径部８ｃが形成してあり、その縮径部８ｃの下端位置に下向き開口端８ｅが形成されている。本体筒部８Ａの外周面における円周方向の４か所には、細幅の取付脚８Ｂを設けてある。
これらの基本的構造は第１実施形態と同様である。
【００５７】
取付脚８Ｂは、本体筒部８Ａの下半部位置から一旦下方に延出された状態から下斜め横外方に向けて広がり、その先端位置において設置用部材に係合可能な波状の係合凹部８ｊを形成してある。係合凹部８ｊを取付脚８の装着部と称する。取付脚８Ｂを構成する材料は、細径の丸棒か又は細い幅の桟部材である。ここで、設置用部材となるのは、後記する環状の横桟６ｆである。
【００５８】
このような構成になるベンチュリ管８を取り付ける設置用部材としては、前記したリテーナ６の最上端に設けてある横桟６ｆが利用される。この点も上端支持基部６Ａを設けている第１実施形態と異なる。つまり、図３（ｃ）に示すように、最上端に位置する横桟６ｆを縦桟６ｅの内側に接触状態で取付け、その横桟６ｆに更に内側から取付脚８Ｂの係合凹部８ｊを嵌合させて、ベンチュリ管８を取り付ける。波状の係合凹部８ｊは凹入部分に横桟６ｆを嵌合させた状態でその凹入部分の上下に位置する横向き突出部分８ｋで横桟６ｆを挟み込み固定して、ベンチュリ管８の取付状態を安定させている。
横向き突出部分８ｋの内側凹入部分には縦桟６ｅに内側から弾性的に当接して、４つの取付脚８Ｂを外向きに広げる固定リング８ｈが装着してある。この面からもベンチュリ管８の取付状態の安定を図っている。
【００５９】
以上のような構成になるベンチュリ管８は、リテーナ６に取付られた状態で、縮径部８ｃの下端開口端８ｅを連通孔２Ａに位置させた状態で処理後空気室４内に向けて立ち上げ装着され、拡径部８ａのラッパ状開口端８ｄを逆洗用のヘッダーパイプ７における吹き出しノズル７ａの下方に配置してある。この点は第１実施形態と同様である。
【００６０】
（空気の流通）
図２〜図６に示すように、特に図４（ｂ）に示すように、濾過手段Ｂを通過した処理後の空気を、ベンチュリ管８及びその外側周辺を介して処理後空気室４に誘導するとともに、図４（ａ）に示すように、逆洗用空気ｃを、ベンチュリ管８を介して濾過手段Ｂに誘導すべく構成してある。
【００６１】
（逆洗）
つまり、図４（ａ）を参照して逆洗状態を説明すると、逆洗時においては、圧縮空気が１次空気としてヘッダーパイプ７における吹き出しノズル７ａから濾布５に向けて噴出される。圧縮空気は、その殆どがベンチュリ管８の内部通路を通過して濾布５内に移動するとともに、１次空気に誘引される２次空気が周囲より吸引されて、ベンチュリ管８の外周面とリテーナ６の内面に沿って濾布５内に至る。
以上のような構成に加えて、取付脚８Ｂの構成が、細径の丸棒や細幅の桟でかつ円周方向の４か所に均等配置されているだけであるので、ベンチュリ管８の外方と取付脚８Ｂ同士の間にも大きな空間が形成されている。
【００６２】
このような構成によって、ベンチュリ管８の外方にも、通風空間が形成されることとなり、ベンチュリ管８だけを通風路とする場合に比べて、大きな通風空間を確保できることとなった。これによって、供給装置Ｄの容量を大きなものとすることがなくなった。それでいて、逆洗時には、ベンチュリ管８の存在によって圧縮空気を濾布５の下方深く送り込むことができるとともに、逆洗用圧縮空気の噴出速度を確保しかつベンチュリ管８を通過する圧縮空気の吸引効果によってベンチュリ管８外方の空気を巻き込んで、濾布５に作用する空気量を増大させることができるのである。この点は第１実施形態と同様である。
【００６３】
特に、第１実施形態で示した上端支持基部６Ａを使用しないで、縦桟６ｅの上端部を半円弧状に曲げ形成してその曲げ形成した部分を連通孔２Ａの縁部に係止してリテーナ６全体を支持する構成を採っているので、連通孔２Ａ部位の回りに縦桟６ｅだけの占有面積の少ない部材だけで支持構造を形成できており通風路確保が容易に行え、逆洗用の圧縮空気を濾布５の上端部分にも作用させることができ、濾布５の逆洗効果を高めることができる。
【００６４】
（濾過）
一方、図４（ｂ）を参照して、処理前空気ａに濾過作用を加える場合には、空気流通手段Ｃを働かせて、漏斗部１Ｂの入口ノズル部１ａより処理前空気室３に導入するとともに、濾布５内を上昇させて、ベンチュリ管８の内部通路、および、ベンチュリ管８の外周面と上端支持基部６Ａとの間の空間を通して処理後空気ｂを処理後空気室４に導入し、角筒部１Ａに形成した出口ノズル部１ｂから外部に排出するように構成してある。
【００６５】
この場合にも、前記したように、濾布５の上端部分からも処理前空気ａを濾布５内に導入することができ、濾布５の有効濾過面積を広くとることができる。
また、ベンチュリ管８の内部通路だけでなく、ベンチュリ管８の外方とリテーナ６の間にも、通風空間が形成されることとなり、ベンチュリ管８だけを通風路とする場合に比べて、ベンチュリ管８を設置しない場合と同等の大きな通風空間を確保できることとなった。これによって、空気流通手段Ｃの容量を小さくすることが可能になった。
また、このように、ベンチュリ管８の外周面側及びリテーナ６の上端部が縦桟６ｅだけであるので、処理後空気室４側から濾布５を覗くと、濾布５の下端を容易に見通すことができ、濾布５のメインテナンス作業を行う場合に容易に行えるようになった。
【００６６】
〔第３実施形態〕
ここでは、ベンチュリ管８の別実施構造について説明する。
図６（ａ）に示すように、ベンチュリ管８は、軸心方向に長い筒状の部材であり、その筒状を呈する本体筒部８Ａの上端部に外広がりのラッパ状の拡径部８ａを形成し、拡径部８ａの先端に開口端８ｄを形成している。拡径部８ａの下方には内外径が同一径を維持している同径部８ｂが形成してある。更に、その同径部８ｂの下端部には、上端部と同様に外広がりの拡径部８ａが形成してあり、その拡径部８ａの下端位置に下向き開口端８ｅが形成されている。本体筒部８Ａの外周面における円周方向の３か所には、細幅の取付脚８Ｂを設けてある。
【００６７】
取付脚８Ｂは、パイプ状部材又は丸棒部材の両端を板状に押し潰してあり、押し潰されて板状になった基端側平板部８ｒを本体筒部８Ａから延出し、パイプ状部材をそのまま維持している筒状部８ｉを介して先端側平板部８ｑを取付対象側の設置用部材に取付けて構成してある。本体筒部８Ａとの基端側平板部８ｒに複数個又は長孔の取付孔８ｎが上下方向に沿って形成してあり、本体筒部８Ａと基端側平板部８ｒとの相対高さ関係を調節可能に構成してある。
【００６８】
このようなベンチュリ管８を取り付ける設置用部材としては、図７に示すように、前記した上端支持基部６Ａを使用する。繰り返しになるが、上端支持基部６Ａは、筒状胴部６ａ、６ｂが大小径の上下二段に形成された略皿状を呈するものであり、上側の大径筒状胴部６ａの上端には、上面視おむすび型を呈するフランジ部６ｃが形成されている。
上端支持基部６Ａにおける小径筒状胴部６ｂにおける下端には、底面が形成されてはいるが、底面は小径筒状胴部６ｂから僅かに内側に折り曲げ形成された鍔状の部分だけで、中心部には大きな抜き孔６ｄが形成してある。
【００６９】
フランジ部６ｃにおけるおむすびの頂点に対応する３か所には、下向きに折り返された支持部６ｇが設けてあり、支持部６ｇが隔壁２の上面に載置されて、上端支持基部６Ａは連通孔２Ａに嵌め込み装着されている。
リテーナ６の縦桟６ｅの上端部分は、上端支持基部６Ａの小径筒状胴部６ｂの外周面に嵌合固定されており、リテーナ６が上端支持基部６Ａを介して連通孔２Ａから下向きに支持される構成を採っている。
【００７０】
このような上端支持基部６Ａの支持部６ｇに支持されたフランジ部６ｃの３つの頂点位置に、ベンチュリ管８の取付脚８Ｂにおける先端側平板部８ｑが夫々載置されてボルト止め固定される。ベンチュリ管８は、下端部のラッパ状開口端８ｂを上端支持基部６Ａの小径筒状胴部６ｂにおける下端底面の高さから大径筒状胴部６ａのフランジ部６ｃの高さに亘って任意の高さ位置に亘って取り付けるように構成してある。
【００７１】
〔第４実施形態〕
ここでは、ベンチュリ管８の別実施構造について説明する。
図８に示すように、ベンチュリ管８は、軸心方向に長い筒状の部材であり、その筒状を呈する本体筒部８Ａの上端部に外広がりのラッパ状の拡径部８ａを形成し、拡径部８ａの先端に開口端８ｄを形成している。拡径部８ａの下方には内外径が同一径を維持している同径部８ｂが形成してある。更に、その同径部８ｂの下端部にはその内外径を維持しながら、下向き開口端８ｅが形成されている。本体筒部８Ａの外周面における円周方向の３か所には、細幅の取付脚８Ｂを設けてある。
【００７２】
取付脚８Ｂは、板状部材を側面視で略台形状に形成したものであり、上端支持基部６Ａに向かう外側縦向き辺８ｐをその上端支持基部６Ａの内面に当接させ、その当接面で溶接固定してある。
【００７３】
〔第５実施形態〕
ここでは、ベンチュリ管８の支持構造が異なるものについて説明する。
まず、リテーナ６の連通孔２への設置形態が異なっている。つまり、図９に示すように、リテーナ６の上端部における縦桟６ｅを上方程外向きに広がるように、つまり、縦桟６ｅ同士が描くリテーナ６の断面径を大きくし、テーパ状を呈するように形成してある。
【００７４】
このようなリテーナ６を連通孔２へ装着する際には、リテーナ６を連通孔２の上方より差し込み、連通孔２の内径とリテーナ６の外径が一致した状態で止め付けるように構成してある。
【００７５】
一方、ベンチュリ管８は、図３（ａ）及び図５（ａ）に示すものと、同様の構成を採っており、軸心方向に長い筒状の部材であり、その筒状を呈する本体筒部８Ａの上端部に外広がりのラッパ状の拡径部８ａを形成し、拡径部８ａの先端に開口端８ｄを形成している。拡径部８ａの下方には内外径が同一径を維持している同径部８ｂが形成してある。更に、その同径部８ｂの下端部に下窄まりの縮径部８ｃが形成してあり、その縮径部８ｃの下端位置に下向き開口端８ｅが形成されている。本体筒部８Ａの外周面における円周方向の４か所には、細幅の取付脚８Ｂを設けてある。
これらの基本的構造は第１実施形態と同様である。
【００７６】
取付脚８Ｂは、図９に示すように、本体筒部８Ａの下半部位置から一旦上方に延出された状態から上斜め横外方に向けて広がり、その先端位置において設置用部材に係合可能な波状の係合凹部８ｊを形成してある。この係合凹部８ｊを設けている構成が第１実施形態と異なる点である。係合凹部８ｊを取付脚８の装着部と称する。取付脚８Ｂを構成する材料は、細径の丸棒か又は細い幅の桟部材である。ここで、設置用部材となるのは、後記する横桟６ｆである。
【００７７】
このような構成になるベンチュリ管８を取り付ける設置用部材としては、前記したリテーナ６の最上端に設けてある横桟６ｆが利用される。この点も上端支持基部６Ａを設けている第１実施形態と異なる。つまり、最上端に位置する横桟６ｆを縦桟６ｅの内側に接触状態で取付け、その横桟６ｆに更に内側から取付脚８Ｂの係合凹部８ｊを嵌合させて、ベンチュリ管８を取り付ける。波状の係合凹部８ｊは凹入部分に横桟６ｆを嵌合させた状態でその凹入部分の上下に位置する横向き突出部分８ｋで横桟６ｆを挟み込み固定して、ベンチュリ管８の取付状態を安定させている。
横向き突出部分８ｋの内側凹入部分には縦桟６ｅに内側から弾性的に当接して、４つの取付脚８Ｂを外向きに広げる固定リング８ｈが装着してある。この面からもベンチュリ管８の取付状態の安定を図っている。
【００７８】
以上のような構成になるベンチュリ管８は、リテーナ６に取付られた状態で、拡径部８ａの上端開口端８ｄを連通孔２Ａの上方でリテーナ６の上端位置に位置させた状態で立ち上げ装着され、拡径部８ａのラッパ状開口端８ｄを逆洗用のヘッダーパイプ７における吹き出しノズル７ａの下方に配置してある。
【００７９】
図９において、二点鎖線で記載したように、ベンチュリ管８の取付脚８Ｂを図２で示すように下向きに延出して、リテーナ６の内部に設けてある横桟６ｆに取り付けるようにしてもよい。
【００８０】
〔第６実施形態〕
ベンチュリ管８の内部構造について説明する。
上記した５つの実施形態においては、本体筒部８Ａにおいては、内周面が空気の流通を円滑に行う為に、突起物を設けない構成を採っている。ここでは、内周面内に導入された空気を螺旋状に誘導する機構として、前記本体筒部８Ａ内に羽根板９を設ける点について説明する。
【００８１】
なお、ベンチュリ管８の本体筒部８Ａの構成は、ベンチュリ管８は、軸心方向に長い筒状の部材であり、その筒状を呈する本体筒部８Ａの上端部に外広がりのラッパ状の拡径部８ａを形成し、拡径部８ａの先端に開口端８ｄを形成している。拡径部８ａの下方には内外径が同一径を維持している同径部８ｂが形成してある。更に、その同径部８ｂの下端部にはその内外径を維持しながら、下向き開口端８ｅが形成されている。本体筒部８Ａの外周面における円周方向の４か所には、細幅の取付脚８Ｂを設けてある
【００８２】
図１０に示すように、羽根板９は、本体筒部８Ａの下向き開口端８ｅから上方に向けて中間高さ位置まで延出されており、本体筒部８Ａの内周面に接着固定されている基端辺部９Ａを本体筒部８Ａの縦向き軸線に対して交差する傾斜姿勢に設置されているとともに、本体筒部８Ａの中心側に位置する先端辺部９Ｂを本体筒部８Ａの縦向き軸線に沿った姿勢に設定してある。
【００８３】
上記したように、羽根板９は、基端辺部９Ａを本体筒部８Ａの縦向き軸線に対して交差する傾斜姿勢に設置し、かつ、先端辺部９Ｂを本体筒部８Ａの縦向き軸線に沿った姿勢に設定して、捻りが加えられている。このことによって、ベンチュリ管８内に導入された空気は、捻りを加えられて、螺旋状を描きながら旋回移動する事により、濾布の下端まで到達する。このことによって、十分に逆洗用空気を濾布の下端まで到達させる事が出来る。
【００８４】
〔別実施形態〕
（１）  ベンチュリ―管８を流通経路の設置用部材としては、ヘッダーパイプ７を対象としてもよい。
【００８５】
（２）  導入された空気を螺旋状に誘導する機構としては、羽根板９以外に、本体筒部８Ａの内周面に螺旋溝を形成してもよい。
【産業上の利用可能性】
【００８６】
本考案に係る集塵機用ベンチュリ管は、集塵機のリテーナに装着されて、処理後の空気ａ及び逆洗用空気ｃの流通速度を加速して、より、円滑な流通機能を高めるものである。
【符号の説明】
【００８７】
１      本体胴部
１Ａ    円筒部
１Ｂ    漏斗部
１ａ    入口ノズル部
１ｂ    出口ノズル部
２      隔壁
２Ａ    連通孔
３      処理前空気室
４      処理後空気室
５      濾布（濾過手段）    
６      リテーナ    
６Ａ    上端支持基部
６ａ    大径筒状胴部（設置用部材）
６ｂ    小径筒状胴部（設置用部材）
６ｃ    フランジ部
６ｄ    抜き孔
６ｅ    縦桟    
６ｆ    横桟（設置用部材）    
６ｇ    支持部
６ｍ    上端部分
７      ヘッダーパイプ
７ａ    吹き出しノズル
８      ベンチュリ管
８Ａ    本体筒部      
８Ｂ    取付脚
８ａ    拡径部
８ｂ    同径部
８ｃ    縮径部
８ｄ    開口端
８ｅ    下向き開口端
８ｆ    係合凸部（取付脚の装着部）
８ｇ    下狭まり部分
８ｈ    弾性リング
８ｉ    筒状部
８ｊ    係合凹部（取付脚の装着部）
８ｍ    係合角部（取付脚の装着部）
８ｐ    外側縦向き辺
８ｑ    先端側平板部
８ｒ    基端側平板部
９      羽根板（螺旋状に誘導する機構）
１０    供給装置
１１    電磁バルブ
Ａ      集塵機
Ｂ      濾過手段
Ｃ      空気流通手段      
Ｄ      逆洗手段      
ａ      濾過処理前の空気      
ｂ      濾過処理後の空気
ｃ      逆洗用空気      
ｔ      横幅（取付脚）
【図１】
0003178547.tif 000003
【図２】
0003178547.tif 000004
【図３】
0003178547.tif 000005
【図４】
0003178547.tif 000006
【図５】
0003178547.tif 000007
【図６】
0003178547.tif 000008
【図７】
0003178547.tif 000009
【図８】
0003178547.tif 000010
【図９】
0003178547.tif 000011
【図１０】
0003178547.tif 000012